(57)【要約】【課題】入力画像が階調補正処理されている場合でも、精度のよい信号レベルを表す補助画像データを生成することのできる画像処理装置およびその制御方法の提供。【解決手段】階調補正処理された画像データの信号レベルが階調補正処理によって受けた影響を低減するための階調補正処理を適用した後、画像データの信号レベルを表す補助画像を生成する。【選択図】図１
2015126416.tif 000002
【特許請求の範囲】
【請求項１】
第１の階調補正特性を用いた階調補正処理が適用された画像データを取得する取得手段と、
前記画像データに対して前記第１の階調補正特性とは異なる第２の階調補正特性を用いた階調補正処理を適用する補正手段と、
前記補正手段によって補正された画像データの信号レベルを表す補助画像データを生成する生成手段とを備え、
前記補正手段は、前記取得手段が取得した画像データの信号レベルにおける、前記第１の階調補正特性を用いた階調補正処理の影響を低減する前記第２の階調補正特性を用いることを特徴とした画像処理装置。
【請求項２】
前記第１の階調補正特性は、前記第１の階調補正特性を用いた階調補正処理が適用された画像データが、当該画像データの画素のビット数で表現される範囲よりも大きな範囲の階調の情報を有するように補正することを特徴とする請求項１に記載の画像処理装置。
【請求項３】
前記第１の階調補正特性は、入力値に対して出力値が対数的に増加する特性であることを特徴とした請求項１または２に記載の画像処理装置。
【請求項４】
前記第１の階調補正特性は、複数の異なる階調補正特性から選択されたものであることを特徴とする請求項１乃至３のいずれか１項に記載の画像処理装置。
【請求項５】
前記補正手段は、前記第２の階調補正特性と前記第１の階調補正特性との組み合わせによって得られる階調補正特性が、線形な階調補正特性となる前記第２の階調補正特性を用いることを特徴とする請求項１乃至４のいずれか１項に記載の画像処理装置。
【請求項６】
前記第２の階調補正特性が、前記第１の階調補正特性の逆特性であることを特徴とする請求項１乃至５のいずれか１項に記載の画像処理装置。
【請求項７】
前記補正手段によって補正された画像データの部分領域を切り出す切り出し手段を備え、
前記生成手段は、前記切り出し手段によって切り出された画像データの部分領域における信号レベルを表す補助画像データを生成することを特徴とする請求項１乃至６のいずれか１項に記載の画像処理装置。
【請求項８】
前記生成手段は、前記画像データが表す画像の輝度成分および色差成分のうち少なくとも一方の信号レベルを表す補助画像データを生成することを特徴とする請求項１乃至７のいずれか１項に記載の画像処理装置。
【請求項９】
前記取得手段が取得した画像データと前記補助画像データとを同時に表示する表示手段を備えることを特徴とする請求項１乃至８のいずれか１項に記載の画像処理装置。
【請求項１０】
前記表示手段は、前記取得手段が取得した画像データに前記補助画像データを重畳して表示することを特徴とする請求項９に記載の画像処理装置。
【請求項１１】
請求項１乃至１０のいずれか１項に記載の画像処理装置と、
撮像素子を用いて画像データを取得する撮像手段と、
前記撮像手段が取得した画像データに前記第１の階調補正特性を用いた階調補正処理を含んだ現像処理を適用して前記取得手段に供給する供給手段と、
を備えることを特徴とする撮像装置。
【請求項１２】
取得手段が、第１の階調補正特性を用いた階調補正処理が適用された画像データを取得する取得工程と、
補正手段が、前記画像データに対して前記第１の階調補正特性とは異なる第２の階調補正特性を用いた階調補正処理を適用する補正工程と、
生成手段が、前記補正工程によって補正された画像データの信号レベルを表す補助画像データを生成する生成工程とを備え、
前記補正工程では、前記取得工程によって取得した画像データの信号レベルにおける、前記第１の階調補正特性を用いた階調補正処理の影響を低減する前記第２の階調補正特性を用いることを特徴とした画像処理装置の制御方法。
【請求項１３】
コンピュータを、請求項１乃至１０のいずれか１項に記載の画像処理装置の各手段として機能させるためのプログラム。
【発明の詳細な説明】
【技術分野】
【０００１】
本発明は、画像処理装置、制御方法およびプログラムに関し、特に撮像装置の露出条件を設定するための補助画像を生成する画像処理装置、制御方法およびプログラムに関するものである。
【背景技術】
【０００２】
デジタルビデオカメラやデジタルビデオカメラなどの撮像装置は、撮影時に、合焦距離、ホワイトバランス、露出条件など様々な撮影パラメータの設定を必要とする。しかし、現在ではこれらのパラメータは自動設定されるのが一般的であり、ユーザはパラメータの設定を意識せずに撮影することができる。
【０００３】
一方で、自動設定されるパラメータでは得られない映像表現を追求する場合などは、依然として撮影パラメータの手動設定が必要である。そして、撮影パラメータの手動設定が可能な撮像装置には、手動設定を容易にするための補助機能を提供するものがある。
【０００４】
このような補助機能のうち、露出条件の設定を容易にするための補助機能として、ウェーブフォームモニタ(WFM)機能（波形表示機能）が知られている。ウェーブフォームモニタは、撮像された画像の信号レベルを波形によって表す補助画像を表示する機能である。
【０００５】
波形表示機能によって生成される補助画像（波形表示画像）には、例えば、ｘ軸に水平方向の画素位置、ｙ軸に信号レベルをとって、入力画像の輝度成分や色差成分を表示するものがある。例えば、図２はＥＩＡカラーバーを入力画像とした場合の波形表示画像の例である。図２中の２０１は輝度成分（Ｙ）、２０２は色差成分（Ｃｂ）、２０３は色差成分（Ｃｒ）を表している。それぞれの波形が、左から、白、黄、シアン、緑、マゼンタ、赤、青を示すＥＩＡカラーバーに対応している。Ｙ、Ｃｂ、Ｃｒそれぞれの入力信号レベルが高いほど、ｙ軸方向の高い位置に表示される。なお、図２の例では、Ｙ、Ｃｂ、およびＣｒ信号を個別に表示した例を示しているが、重ねて表示する場合もある。
【０００６】
このように入力画像の信号レベルを示す補助画像を提示することで、液晶モニタに表示された入力画像の明るさが分りづらい屋外の高照度下撮影時でも、ユーザが現在の露出状態を正しく把握し、所望の露出状態が得られる露出条件を設定することを可能とする。
【先行技術文献】
【特許文献】
【０００７】
【特許文献１】特開２００２−１９６７４４号公報
【発明の概要】
【発明が解決しようとする課題】
【０００８】
一般に、波形表示機能を有する撮像装置では、撮像素子に結像した被写体光学像をデジタル画像データに変換して現像処理を行い、現像処理後の画像データを用いて補助画像データ（波形表示データ）を生成している。また一般に、現像処理には予め定められたガンマ処理（階調補正処理）が含まれている。ガンマ処理の特性（ガンマ特性）は、ガンマカーブや階調補正特性などと呼ばれることもある。
【０００９】
ガンマ処理は本来、入出力特性が非線形の表示装置において、被写体の階調が正しく表示されるように入力画像の階調を補正する処理である。しかし、被写体の色合いを十分に表現するためであったり、後編集を前提として黒潰れや白とびを抑えるためであったりなど、他の目的でガンマ処理が行われることもある。
【００１０】
また、特許文献１に記載されるように、LCDなどの表示装置に映画とグラフィックスの画像データを同時に表示する際に、映画を表示する領域とグラフィックスを表示する領域とで異なるガンマ処理を適用することも知られている。
【００１１】
ガンマ処理によって画像データの信号レベルが変化するため、現像処理後の画像データを用いて生成した波形表示画像が示す信号レベルはガンマ処理の影響を受ける。特に、白とびを抑えることを目的として適用される階調補正特性は、高輝度部の信号レベルを大きく低下させるため、波形表示画像で示される信号レベルと実際の信号レベルとの差が大きくなり、波形表示機能の有効性が低下してしまう。
【００１２】
本発明は、上述の従来技術の問題点に鑑みてなされたものであり、入力画像が階調補正処理されている場合でも、精度のよい信号レベルを表す補助画像データを生成することが可能な画像処理装置、制御方法およびプログラムを提供することを目的とする。
【課題を解決するための手段】
【００１３】
上述の目的を達成するために、本発明の画像処理装置は、以下の構成を備えることを特徴とする。具体的には、第１の階調補正特性を用いた階調補正処理が適用された画像データを取得する取得手段と、画像データに対して第１の階調補正特性とは異なる第２の階調補正特性を用いた階調補正処理を適用する補正手段と、補正手段によって補正された画像データの信号レベルを表す補助画像データを生成する生成手段とを備え、補正手段は、取得手段が取得した画像データの信号レベルにおける、第１の階調補正特性を用いた階調補正処理の影響を低減する第２の階調補正特性を用いることを特徴とする。
【発明の効果】
【００１４】
このような構成により、本発明によれば、入力画像が階調補正処理されている場合でも、精度のよい信号レベルを表す補助画像データを生成することができる。
【図面の簡単な説明】
【００１５】
【図１】本発明の実施形態１に係る画像処理装置の一例としてのデジタルビデオカメラの機能構成例を示すブロック図
【図２】ウェーブフォームモニタ機能で提示される補助画像の例を示す図
【図３】ガンマ処理の例を示す図
【図４】本発明の実施形態３に係る画像処理装置の一例としてのデジタルビデオカメラの機能構成例を示すブロック図
【図５】実施形態３に係るデジタルビデオカメラにおける補助画像の表示例を示す図
【発明を実施するための形態】
【００１６】
以下、本発明の例示的な実施形態について、図面を参照して詳細に説明する。なお、以下では、本発明を適用可能な画像処理装置の一例としての、ウェーブフォームモニタ機能を備えたデジタルビデオカメラに、本発明を適用した例を説明する。しかし、本発明は撮像機能を有する任意の電子機器はもとより、撮像機能を有する電子機器に接続可能な、撮影や記録に関する機能を有さない電子機器にも適用可能である。ここでいう電子機器には、携帯電話機、ゲーム機、タブレット端末、パーソナルコンピュータなどが含まれるが、これらは単なる例示である。
【００１７】
（実施形態１）
図１は、本発明の実施形態１に係る画像処理装置の一例としてのデジタルビデオカメラの機能構成例を示すブロック図である。
【００１８】
なお、図１に示す機能ブロックの１つ以上は、ASICやプログラマブルロジックアレイ(PLA)などのハードウェアで実現されてもよいし、ＣＰＵやＭＰＵ等のプログラマブルプロセッサがソフトウェアを実行することによって実現されてもよい。また、ソフトウェアとハードウェアの組み合わせによって実現されてもよい。従って、以下の説明において、異なる機能ブロックが動作主体として記載されている場合であっても、実際には同じハードウェアが主体として実現されうる。
【００１９】
図１において、撮影レンズ群１２３は、被写体像をセンサー部１０１の撮像面上に結像する光学系を構成し、入射光量やフォーカスの調節及び、絞り調整機能を備える。
【００２０】
センサー部１０１は、光電変換素子を有する画素が複数、２次元的に配列された構成を有する。センサー部１０１は、撮影レンズ群１２３により結像された被写体光学像を各画素で光電変換し、さらにＡ／Ｄ変換回路によってアナログ・デジタル変換して、画素単位のデジタル信号（画像データ）を出力する。
【００２１】
センサー部１０１は、ＣＣＤ（Charge-Coupled Device）イメージセンサーやＣＭＯＳ（Complementary Metal Oxide Semiconductor）イメージセンサーなどの撮像素子であってよい。センサー部１０１は例えば原色ベイヤー配列のカラーフィルタを有し、各画素には、Ｒ（赤）、Ｇ（緑）、Ｂ（青）の何れかのカラーフィルタが設けられている。センサー部１０１は、これらの色成分ごとに分離したＲＧＢ形式で画像データを出力する。センサー部１０１はまた、高速出力のために、複数個の画素値から１個の画素値を求めることにより出力画像を縮小する画素加算処理を行ってＲＧＢ形式の画像データを出力する場合もある。
【００２２】
センサー補正部１０２は、センサー部１０１が出力する画像データに対し、撮影レンズ群１２３により生じた収差の補正処理や、欠陥画素を補間する処理を行ない、ＲＧＢ形式の画像データを出力する。
【００２３】
現像処理部１０３は、センサー補正部１０２が出力するＲＧＢ形式の画像データを入力画像データとしてＲＧＢのオフセット調整、ゲイン調整、ベイヤー配列の補間処理、および現像ガンマ処理等を行う。本実施形態における現像ガンマ処理は、例えば、図３（ａ）に示す入力輝度と出力輝度の関係（階調補正特性。ガンマカーブ、ガンマ特性などとも呼ばれる）に基づいて入力画像データを補正する処理を指す。現像ガンマ処理に用いられる階調補正特性（第１の階調補正特性）は、センサー部１０１や撮影レンズ群１２３などの特性を考慮して、ユーザが所望する階調性を有する画像を生成するための階調補正特性であり、本実施形態では、現像ガンマ特性という。
【００２４】
現像処理部１０３は、ＣＰＵ１２１の指示により、画像データに適用する現像ガンマ特性を設定する。ＣＰＵ１２１は、予め把握しているセンサー部１０１、撮影レンズ群１２３、表示機器などの特性に応じて現像ガンマ特性を決定してよい。
【００２５】
このように、本実施形態のデジタルビデオカメラは、現像処理部１０３で現像ガンマ処理を行うことで、目的に応じた階調特性を有する画像データを生成可能である。これらの階調特性には、例えば、TVモニタ等の各種ディスプレイ機器の表示に適した階調特性や、後編集を前提とした、高ダイナミックレンジ画像の入力を可能とする階調特性などがある。
【００２６】
高ダイナミックレンジ画像に用いる現像ガンマ特性の例には、いわゆるlogガンマがある。logガンマとは、入力値に対して出力値が対数的に増加する階調補正特性である。logガンマを用いることにより、画像データの有するビット数で表現される範囲よりも大きな範囲の階調を表現することが可能となり、白飛びや黒つぶれが生じにくい、後編集に適した画像データを生成することができる。
【００２７】
色信号変換部１０４は、現像処理部１０３からのＲＧＢ形式の画像データを輝度成分（Ｙ）と色差成分（Ｃｂ、Ｃｒ）からなるＹＣＣ形式の画像データに変換して出力する。符号化部１０５は、このＹＣＣ形式の画像データを記録フォーマットに合わせて圧縮符号化するとともに、符号化画像データとヘッダなどの付加情報を含んだ記録用の画像ファイルを生成する。符号化部１０５は、画像ファイルを半導体メモリカードなどの記録メディア１０６に記録する。
【００２８】
表示画像補正部１０７は、現像処理部１０３の出力画像データを表示部１１０に表示するために補正する。この補正は例えば表示部１１０の入出力特性に応じた階調補正処理であってよい。例えば、表示部１１０がガンマ値２．２の入出力特性を持つ場合、現像処理部１０３の出力画像データの階調が表示部１１０で正しく表示されるよう、表示部１１０の入出力特性の逆特性であるガンマ値１／２．２のガンマ特性を用いて補正する。一般に表示部１１０の入出力特性は固定であるため、表示画像補正部１０７が用いるガンマ特性は予め設定しておくことができる。
【００２９】
第１選択部１０８は、ＣＰＵ１２１の指示により、現像処理部１０３の出力画像データと表示画像補正部１０７の出力画像データの一方を出力する。
【００３０】
現像ガンマ特性が表示部１１０の入出力特性の逆特性であれば、表示画像補正部１０７における補正処理は不要である。そのため、ＣＰＵ１２１は、まず、現像処理部１０３に設定した現像ガンマ特性と、表示部１１０の入出力特性とが逆特性の関係を満たすかどうかを判定する。そして、逆特性の関係を満たすと判定する場合には現像処理部１０３の出力画像データを出力するように第１選択部１０８に指示する。この判定は例えば設定可能な現像ガンマ特性のうちどれが表示部１１０の入出力特性と逆特性であるかを予め記憶しておき、現在設定されている現像ガンマ特性と記憶されている現像ガンマ特性とが合致するかどうかに基づいて行うことができる。
【００３１】
評価画像補正部１１１は、補助画像生成部１１３で評価する画像データを生成するため、現像処理部１０３からの画像データに階調補正処理を適用する。評価画像補正部１１１における階調補正処理は、センサー補正部１０２が出力した画像データが現像ガンマ処理によって受けた影響を相殺するための処理であり、換言すれば現像ガンマ処理前の画像データに戻すための処理である。従って、評価画像補正部１１１で用いる階調補正特性（第２の階調補正特性）は、現像処理部１０３における現像ガンマ特性に応じて決定される。
【００３２】
具体的には、図３（ａ）に示す現像ガンマ特性が用いられる場合、評価画像補正部１１１で現像ガンマ特性の逆特性である階調補正特性（図３（ｂ））を用いれば、画像データが現像ガンマ処理で受けた影響を相殺することができる（図３（ｃ））。換言すれば、評価画像補正部１１１の出力特性、つまり現像ガンマ特性と評価画像補正部１１１で用いられる階調補正特性との組み合わせによって得られる階調補正特性が、線形な特性を示す。
【００３３】
なお、評価画像補正部１１１で適用する階調補正特性は、必ずしも現像ガンマ特性の逆特性でなくてもよい。露出条件の設定において重要なのは高輝度部と低輝度部の信号レベル、特には高輝度部の信号レベルである。従って、少なくとも高輝度部において現像ガンマ特性の影響が十分に低減できれば露出条件の設定精度を向上させるという効果は得られる。なお、高輝度部の決定方法に特に制限は無いが、予め定めた輝度よりも高輝度の領域として定めることができる。低輝度部についても同様に規定できる。
【００３４】
評価画像補正部１１１で階調補正処理を行った画像データに基づいて波形表示画像データを生成することで、画像のコントラストを低下させる現像ガンマ特性が用いられる場合であっても、精度の良い信号レベルを示す波形表示機能を提供することができる。
【００３５】
第２選択部１１２は、ＣＰＵ１２１の指示により、現像処理部１０３の出力画像データと評価画像補正部１１１の出力画像データの一方を出力する。ＣＰＵ１２１は、ユーザから操作部１２２を通じて入力された、現像処理部１０３の出力または評価画像補正部１１１の出力のいずれかに対する選択指示に基づいて、第２選択部１１２へ指示を出す。
【００３６】
補助画像生成部１１３は、第２選択部１１２から入力された画像データに対して、波形表示画像データを生成する。例えば、波形表示画像データは、図２に示したような、入力画像の水平位置と、輝度成分と色差成分の信号レベルとの関係示す波形表示の画像データであってよい。なお、補助画像生成部１１３は、ウェーブフォームモニタ表示として知られている任意の表示形式の波形表示画像データを生成することができる。このような波形表示画像のデータ生成については公知の構成を用いることができるため、その詳細については省略する。
【００３７】
表示合成部１０９は、第１選択部１０８からの表示画像データに補助画像生成部１１３からの波形表示画像データ（補助画像データ）を合成した合成画像データを生成し、表示部１１０に供給する回路である。合成画像データは、表示部１１０で表示される。なお、表示画像データに対してどのように波形表示画像データを合成するかは、予め定められているものとする。波形表示画像が表示画像に重畳表示されるように合成してもよいし、別個の表示領域（別個の表示装置である場合を含む）に表示されるように合成してもよい。いずれにせよ、波形表示画像は表示画像（撮像画像）と同時に表示される。
【００３８】
表示部１１０は、パネルや電子ビューファインダなどの表示部である。表示合成部１０９からの出力画像を受信して、表示を行う。
【００３９】
以上説明した処理は、例えばライブビュー表示時や動画記録時に撮影される動画の各フレーム画像に対して実施することができるが、数フレームごとに実施してもよい。
【００４０】
ＣＰＵ１２１は、ユーザから操作部１２２を通じて入力された絞り操作に応じて、露出調整部１２０に制御信号を出力する。露出調整部１２０は、例えばモータ等によって撮影レンズ群１２３に含まれる絞りを制御し、撮影レンズ群１２３による入射光量（露出）を変化させる。露出の変化を反映した画像が撮影され、波形表示画像が撮影画像に応じて変化する。なお、シャッター速度や撮影感度等、絞り値以外の露出条件が変更されてもよい。
【００４１】
本実施形態によれば、現像ガンマ処理されている画像を表示しているときでも、波形表示画像によって撮影画像の信号レベルが精度良く示される。そのため、ユーザは、波形表示画像の変化を観察しながら露出条件の調節を行うことで、所望の表現を実現する露出条件の設定を容易に行うことができる。
【００４２】
なお、実施形態に係る画像処理装置が現像処理部１０３を含まない構成（現像処理部１０３の出力画像データが入力される形態）である場合、現像ガンマ特性についての情報は現像処理部１０３を有する装置（例えば撮像装置）から取得すればよい。あるいは、入力画像データの付加情報から現像ガンマ特性の情報を取得してもよい。
【００４３】
以上説明したように本実施形態によれば、階調補正処理が適用された画像データに対し、適用されている階調補正特性の影響を低減するような階調補正処理をさらに適用した後に画像の信号レベルを示す補助画像データを生成するようにした。そのため、画像データに適用されている階調補正処理の特性にかかわらず、精度の良い信号レベルを示す、露出条件の設定に有効な補助画像のデータを生成することができる。
【００４４】
（実施形態２）
次に、本発明の実施形態２について説明する。本実施形態の画像処理装置は、現像処理部１０３および評価画像補正部１１１の動作以外、実施形態１と同様であるため、重複する説明は省略し、相違点について重点的に説明する。実施形態１と異なるのは、現像処理部１０３が複数の階調補正特性（現像ガンマ特性）の１つを選択的に利用して現像ガンマ処理を行い、評価画像補正部１１１が現像ガンマ特性の変化による画像データの変動を低減するように決定される点である。
【００４５】
現像ガンマ特性が変更されると、実際の被写体輝度が変化しなくても、現像処理部１０３から出力される画像データの信号レベルが変化する。そのため、評価画像補正部１１１で適用する階調補正特性が一定の場合、現像ガンマが変更されると実際の被写体輝度が変化しなくても、補助画像生成部１１３が生成する波形表示画像が変化してしまう。このため、画像の信号レベルを正確に把握できず、露出条件の設定に支障をきたすことがある。
【００４６】
現像処理部１０３は、予め用意された複数の現像ガンマ特性のうち、ＣＰＵ１２１から設定された１つを用いて現像ガンマ処理を行う。ＣＰＵ１２１は、操作部１２２を通じて入力された現像ガンマ特性に対するユーザ指示に基づいて現像ガンマ特性を設定または変更してもよい。そして、現像処理部１０３は、すでに実施形態１で説明した現像ガンマ処理を入力画像データに適用し、設定された現像ガンマ特性に応じた階調性を有する画像データを出力する。
【００４７】
上述の通り、本実施形態における評価画像補正部１１１の階調補正処理は、現像ガンマ特性が変更されることによる出力画像データの変動を低減するための処理である。例えば、評価画像補正部１１１に設定される階調補正特性は、使用されている現像ガンマ特性との組み合わせによって実現される階調補正特性が実質的に一定となるように、現像ガンマ特性に応じて設定される。
【００４８】
典型的には、現像ガンマ特性の逆特性を評価画像補正部１１１に設定することができる。評価画像補正部１１１で現像ガンマ特性の逆特性を用いるように設定することで、現像ガンマ処理が画像データの信号レベルに与える影響、ひいては波形表示画像に与える影響を、現像ガンマ特性が変化しても相殺することができる。
評価画像補正部１１１で用いる階調補正特性は、ＣＰＵ１２１が決定し、評価画像補正部１１１に設定することができる。
【００４９】
上述の通りＣＰＵ１２１は現像ガンマ特性の設定も行うため、例えば現像ガンマ特性を現像処理部１０３に設定（もしくは変更）する際に、現像ガンマ特性に応じた階調補正特性を評価画像補正部１１１に設定することができる。もちろん、評価画像補正部１１１への階調補正特性の設定方法及びタイミングはこれに限定されない。なお、現像ガンマ特性に応じて、評価画像補正部１１１にどの階調補正特性を設定すべきかについても、様々な方法で決定することができる。例えば現像処理部１０３と評価画像補正部１１１とがそれぞれ、適用可能な複数の階調補正特性を記憶している場合、逆特性となる組み合わせを予め記憶しておけばよい。
【００５０】
また、階調補正特性の設定は、ＣＰＵ１２１が、現像処理部１０３に対して現像ガンマ特性を特定する情報を通知する際に、評価画像補正部１１１に対して適用する階調補正特性を特定する情報を通知することで行うことができるが、他の方法を用いてもよい。例えば、現像処理部１０３が評価画像補正部１１１に現像ガンマ特性の情報を通知し、評価画像補正部１１１が予め記憶された対応関係に従って使用する階調補正特性を変更してもよい。また、画像データの付加情報などに現像ガンマ特性に関する情報が含まれる場合、評価画像補正部１１１がこの情報を監視し、現像ガンマ特性に変化があった場合には自身の階調補正特性を変更してもよい。
【００５１】
このように、本実施形態では、評価画像補正部１１１が、現像ガンマ特性が変更されることによる出力画像データの階調性の変動を低減するような階調補正処理を適用する。そのため、現像処理部１０３で用いられる現像ガンマ特性の変化が画像の信号レベルに与える影響の変動を低減し、精度の良い信号レベルを示す波形表示画像を生成することができる。
【００５２】
（実施形態３）
次に、図４を参照して、本発明の実施形態３について説明する。なお、本実施形態は実施形態１、２のいずれとも組み合わせることができる。
【００５３】
実施形態１および実施形態２のデジタルビデオカメラと異なる点は、画像切り出し部５０１を追加したことと、補助画像生成部１１３の動作であり、他の構成および動作は実施形態１及び実施形態２と同様でよいため、重複する説明は省略する。
【００５４】
画像切り出し部５０１は、第２選択部１１２から出力された、現像処理部１０３の出力あるいは評価画像補正部１１１の出力画像データに対し、ユーザ等が指定した画像上の部分領域を切り出し、その画像データを補助画像生成部１１３へ出力する。
【００５５】
ここで、画像上の部分領域は、ユーザが操作部１２２あるいはタッチパネル機能を併せ持つ表示部１１０を通じて指定した任意の画像上の領域であり、ＣＰＵ１２１は、指定された領域の頂点座標を取得する。また、現像処理後の画像データに対して顔や特定物体の検出処理が例えばＣＰＵ１２１や他の構成によって実施される場合、ＣＰＵ１２１は、その検出結果に基づいて画像上の部分領域の頂点座標を取得してもよい。ＣＰＵ１２１は、画像切り出し部５０１に対して、取得した画像上の部分領域の頂点座標を設定する。
【００５６】
画像切り出し部５０１は、ＣＰＵ１２１から指定された画像上の部分領域に基づいて、第２選択部１１２の出力画像データから、対応する領域の画像データを切り出す。
【００５７】
補助画像生成部１１３は、画像切り出し部５０１から入力された画像データに対して、波形表示画像データを生成する。生成されたデータは、ＣＰＵ１２１が設定した画像上の領域に含まれる画素の信号レベルを示すものとなる。例えば図５に示す波形表示画像６０２のように、生成されたデータは、領域内の画素の輝度成分や色差成分の入力信号レベルを示す補助画像のデータである。図５の例では、波形表示画像が対象としている、設定された領域の指標としての矩形表示６０１が、波形表示画像６０２とともに撮影画像に重畳表示された例を示している。矩形表示６０１と波形表示画像６０２は互いに水平位置が対応するように位置合わせされて表示される。なお、矩形表示６０１を行う場合、その画像データも補助画像生成部１１３が生成する。
【００５８】
補助画像生成部１１３から出力された画像データは、表示合成部１０９で第１選択部１０８からの表示画像データと合成されて表示部１１０に表示される。
【００５９】
本実施形態によれば、撮像画像のうち、特定の部分領域に含まれる画素の信号レベルを表す波形表示画像データを生成する。そのため、実施形態１や実施形態２による効果に加え、人物の顔など、特定の部分領域に含まれる画素の信号レベルによって露出条件を決定する場合の使い勝手がよいという効果が実現できる。
【００６０】
以上、本発明を例示的な実施形態について説明したが、本発明の範囲は特許請求の範囲によってのみ規定され、これらの実施形態に記載された構成に限定されない。本発明の範囲内で種々の変形及び変更が可能である。
【００６１】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015126416.tif 000003
【図２】
2015126416.tif 000004
【図３】
2015126416.tif 000005
【図４】
2015126416.tif 000006
【図５】
2015126416.tif 000007